(57)【要約】      （修正有）【課題】ＵＬ  ＲＳを送信するための方法及び装置を提供する。【解決手段】方法は、第１の電力制御メカニズムに基づいて第１のＵＬ  ＲＳの第１の送信電力を導出することを含む。第１の電力制御メカニズムに基づいた第１の送信電力の導出は、上りデータチャネルに関連付けられる。追加的に、第２の電力制御メカニズムに基づいて第２のＵＬ  ＲＳの第２の送信電力を導出することを含む。第２の電力制御メカニズムに基づいた第２の送信電力の導出は、上りデータチャネルに関連付けられない。さらに、第１の送信電力で第１のＵＬ  ＲＳを送信することと、第２の送信電力で第２のＵＬ  ＲＳを送信することも含む。【選択図】図１４
2018061246.tif 000002
【特許請求の範囲】
【請求項１】
上り（ＵＬ）参照信号（ＲＳ）を送信するためのユーザ機器（ＵＥ）の方法であって、
第１の電力制御メカニズムに基づいて第１のＵＬ  ＲＳの第１の送信電力を導出することであって、該第１の電力制御メカニズムに基づいて該第１の送信電力を導出することは上りデータチャネルに関連付けられる、導出することと、
第２の電力制御メカニズムに基づいて第２のＵＬ  ＲＳの第２の送信電力を導出することであって、該第２の電力制御メカニズムに基づいて該第２の送信電力を導出することは前記上りデータチャネルに関連付けられない、導出することと、
前記第１の送信電力で前記第１のＵＬ  ＲＳを送信することと、
前記第２の送信電力で前記第２のＵＬ  ＲＳを送信することと、
を含む方法。
【請求項２】
前記第１のＵＬ  ＲＳはチャネル測定のためのものであり、前記第２のＵＬ  ＲＳはビーム管理のためのものである、請求項１に記載の方法。
【請求項３】
第１の送信電力制御（ＴＰＣ）を受信することであって、該第１のＴＰＣを、前記第１のＵＬ  ＲＳの第１の電力制御メカニズムに適用し、かつ前記上りデータチャネルに適用する、受信することと、
第２のＴＰＣを受信することであって、該第２のＴＰＣを、前記第２のＵＬ  ＲＳの第２の電力制御メカニズムに適用するが、前記上りデータチャネル及び第１のＵＬ  ＲＳの第１の電力制御メカニズムには適用しない、受信することと、をさらに含む請求項１に記載の方法。
【請求項４】
前記第１の電力制御メカニズムに基づく前記第１の送信電力の導出は、関連付けられた前記上りデータチャネルの構成された電力パラメータ、経路損失導出、及び閉ループ電力制御調整状態のうちの少なくとも１つを使用する、請求項１に記載の方法。
【請求項５】
前記第１のＵＬ  ＲＳはサウンディング参照信号であり、前記第２のＵＬ  ＲＳはサウンディング参照信号である、請求項１に記載の方法。
【請求項６】
上り（ＵＬ）参照信号（ＲＳ）を送信するためのユーザ機器（ＵＥ）の方法であって、
特定電力値に基づいてＵＬ  ＲＳの送信電力を導出することと、
前記送信電力で、複数のＵＥビームのうちの第１のＵＥビーム上で前記ＵＬ  ＲＳを送信することと、
前記送信電力で、複数のＵＥビームのうちの第２のＵＥビーム上で前記ＵＬ  ＲＳを送信することと、
を含む方法。
【請求項７】
前記特定電力値は、ランダムアクセス手順から導出された第３のＵＥビームのＵＬ送信電力である、請求項６に記載の方法。
【請求項８】
前記送信電力は、前記特定電力値に設定されるか、又は前記特定電力値と経路損失との和に設定される、請求項６に記載の方法。
【請求項９】
前記送信電力は、前記特定電力値より小さくない、請求項６に記載の方法。
【請求項１０】
前記送信電力の導出は、オフセットに基づく、請求項６に記載の方法。
【請求項１１】
前記特定電力値が構成又は指定される、請求項６に記載の方法。
【請求項１２】
前記ＵＬ  ＲＳは、ビーム管理のためのものである、請求項６に記載の方法。
【請求項１３】
前記ＵＬ  ＲＳはサウンディング参照信号であること、請求項６に記載の方法。
【請求項１４】
ユーザ機器（ＵＥ）であって、
制御回路と、
前記制御回路に設けられたプロセッサと、
前記制御回路に設けられ、前記プロセッサに動作可能に結合されたメモリと、
を含み、
前記プロセッサが前記メモリに記憶されたプログラムコードを実行するように構成されて、
特定電力値に基づいて上り（ＵＬ）参照信号（ＲＳ）の送信電力を導出し、
前記送信電力で、複数のＵＥビームのうちの第１のＵＥビーム上で前記ＵＬ  ＲＳを送信し、
前記送信電力で、複数のＵＥビームのうちの第２のＵＥビーム上で前記ＵＬ  ＲＳを送信する、ＵＥ。
【請求項１５】
前記特定電力値は、ランダムアクセス手順から導かれた第３のＵＥビームのＵＬ送信電力である、請求項１４に記載のＵＥ。
【請求項１６】
前記送信電力は、前記特定電力値に設定されるか、又は前記特定電力値と経路損失との和に設定される、請求項１４に記載のＵＥ。
【請求項１７】
前記送信電力は、前記特定電力値より小さくない、請求項１４に記載のＵＥ。
【請求項１８】
前記送信電力の導出は、オフセットに基づく、請求項１４に記載のＵＥ。
【請求項１９】
前記特定電力値が構成又は指定される、請求項１４に記載のＵＥ。
【請求項２０】
前記ＵＬ  ＲＳは、サウンディング参照信号である、請求項１４に記載のＵＥ。
【発明の詳細な説明】
【技術分野】
【０００１】
本願は、２０１６年１０月７日に出願された米国仮特許出願第６２／４０５，５３３号及び第６２／４０５，５６４号の利益を主張するものであり、そのすべての開示は参照により本明細書に援用される。
【０００２】
本開示は概して、無線通信ネットワークに関し、より詳細には、無線通信システムにおいてＵＬ  ＲＳの送信電力を導出するための方法及び装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。このようなＩＰデータパケット通信は、移動体通信デバイスのユーザに、ボイスオーバＩＰ、マルチメディア、マルチキャスト、及びオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰ及びマルチメディアサービスを実現するために、高いデータスループットを提供可能である。現在、次世代（例えば、５Ｇ）の新しい無線技術が３ＧＰＰ標準化機構によって議論されている。このため、現行の３ＧＰＰ標準内容に対する変更が現在提出され、３ＧＰＰ標準の発展及び確定に向けて検討されている。
【発明の概要】
【０００５】
ユーザ機器（ＵＥ）の観点からのＵＬ  ＲＳを送信するための方法及び装置が開示される。一実施形態では、方法は、第１の電力制御メカニズムに基づいて第１のＵＬ  ＲＳの第１の送信電力を導出することであって、第１の電力制御メカニズムに基づいて第１の送信電力を導出することは上りデータチャネルに関連付けられる、導出することを含む。追加的に、方法は、第２の電力制御メカニズムに基づいて第２のＵＬ  ＲＳの第２の送信電力を導出することであって、第２の電力制御メカニズムに基づいて第２の送信電力を導出することは上りデータチャネルに関連付けられない、導出することを含む。さらに、方法は、第１の送信電力で第１のＵＬ  ＲＳを送信することを含む。方法は、第２の送信電力で第２のＵＬ  ＲＳを送信することも含む。
【図面の簡単な説明】
【０００６】
【図１】例示的な一実施形態による無線通信システムの図である。
【図２】例示的な一実施形態による送信機システム（アクセスネットワークとしても知られている）及び受信機システム（ユーザ機器又はＵＥとしても知られている）のブロック図である。
【図３】例示的な一実施形態による通信デバイスの機能ブロック図である。
【図４】例示的な一実施形態による図３のプログラムコードの機能ブロック図である。
【図５】例示的な一実施形態による３つのタイプのビームフォーミングを示す図である。
【図６】３ＧＰＰ  ＴＳ  ３６．２１３  ｖ１３．２．０の表５．１．１．１−１の再現である。
【図７Ａ】３ＧＰＰ  ＴＳ  ３６．２１３  ｖ１３．２．０の表５．１．１．１−２の再現である。
【図７Ｂ】３ＧＰＰ  ＴＳ  ３６．２１３  ｖ１３．２．０の表５．１．１．１−３の再現である。
【図８】３ＧＰＰ  ＴＳ  ３６．２１３  ｖ１３．２．０の表５．１．２．１−１の再現である。
【図９】３ＧＰＰ  ＴＳ  ３６．２１３  ｖ１３．２．０の表５．１．２．１−２の再現である。
【図１０】３ＧＰＰ  ＴＳ  ３６．２１３  ｖ１３．２．０の表７．２．３−０の再現である。
【図１１】３ＧＰＰ  ＴＳ  ３６．２１３  ｖ１３．２．０の表７．２．３−１の再現である。
【図１２】３ＧＰＰ  ＴＳ  ３６．２１３  ｖ１３．２．０の表７．２．３−２の再現である。
【図１３】３ＧＰＰ  ＴＳ  ３６．２１３  ｖ１３．２．０の表７．２．３−３の再現である。
【図１４】ＵＥの観点からの例示的な一実施形態によるフローチャートである。
【図１５】ＵＥの観点からの例示的な一実施形態によるフローチャートである。
【図１６】例示的な一実施形態による図である。
【図１７】例示的な一実施形態による図である。
【図１８】ＵＥの観点からの例示的な一実施形態によるフローチャートである。
【図１９】ＵＥの観点からの例示的な一実施形態によるフローチャートである。
【図２０】ＵＥの観点からの例示的な一実施形態によるフローチャートである。
【発明を実施するための形態】
【０００７】
以下に記載される例示的な無線通信システム及び機器は、無線通信システムを採用し、ブロードキャストサービスをサポートする。無線通信システムは、音声、データ等の様々なタイプの通信を提供するため、広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、又はその他何らかの変調技術に基づいてよい。
【０００８】
特に、以下に記載される例示的な無線通信システム及び機器は、本明細書において３ＧＰＰと称する「第３世代パートナーシッププロジェクト」という名称のコンソーシアムにより提供された標準等、１つ以上の標準をサポートするように設計されてよい。標準には、R2-162366,  “Beam  Forming  Impacts”,  Nokia  and  Alcatel-Lucent、R2-163716,  “Discussion  on  terminology  of  beamforming  based  high  frequency  NR”,  Samsung、R2-162709,  “Beam  support  in  NR”,  Intel、R2-162762,  “Active  Mode  Mobility  in  NR:  SINR  drops  in  higher  frequencies”,  Ericsson、RP-150465,  “New  SI  proposal:  Study  on  Latency  reduction  techniques  for  LTE”,  Ericsson  and  Huawei、及びTS  36.213  v13.2.0,  “E-UTRA;  Physical  layer  procedures  (Release  13)”が含まれる。上掲の標準及び文書は、そのすべてが参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４及び１０６、別のグループは１０８及び１１０、また別のグループは１１２及び１１４を含む。図１においては、各アンテナグループに対して、アンテナが２つしか示されていないが、より多くの又はより少ないアンテナが各アンテナグループに利用されてよい。アクセス端末１１６（ＡＴ）は、アンテナ１１２及び１１４と通信しており、アンテナ１１２及び１１４は、順方向リンク１２０を介して情報をアクセス端末１１６に送信するとともに、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信するとともに、逆方向リンク１２４を介して情報をアクセス端末（ＡＴ）１２２から受信している。ＦＤＤシステムにおいては、通信リンク１１８、１２０、１２４、及び１２６は通信に異なる周波数を使用してよい。例えば、順方向リンク１２０では、逆方向リンク１１８によって使用される周波数とは異なる周波数を使用してよい。
【００１０】
アンテナの各グループ及び／又はアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局又は基地局でよく、アクセスポイント、Ｎｏｄｅ  Ｂ、基地局、拡張型基地局、進化型Ｎｏｄｅ  Ｂ（ｅＮＢ）、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００１３】
図２は、ＭＩＭＯシステム２００における送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、及びインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１７】
各送信機２２２は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）して、調節された信号をデジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信及び処理して、ＮＴ個の「検出」シンボルストリームを提供する。そして、ＲＸデータプロセッサ２６０は、各検出シンボルストリームを復調、デインターリーブ、及び復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部及びランク値部を含む逆方向リンクメッセージを構築する。
【００２１】
逆方向リンクメッセージは、通信リンク及び／又は受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６及び１２２又は図１の基地局（若しくはＡＮ）１００を実現するのに利用可能であり、無線通信システムは、ＬＴＥシステムであることが好ましい。通信デバイスは、入力デバイス３０２、出力デバイス３０４、制御回路３０６、中央演算処理装置（ＣＰＵ）３０８、メモリ３１０、プログラムコード３１２、及びトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像及び音を出力することができる。トランシーバ３１４は、無線信号を受信及び送信するのに使用され、受信信号を制御回路３０６に伝達するとともに、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  Ｒ２−１６２３６６において議論されているように、より低い周波数帯（例えば、現在のＬＴＥ帯＜６ＧＨｚ）では、必要なセルカバレッジを、下り共通チャネルを送信するためのワイドセクタビームを形成することによって提供してよい。しかし、より高い周波数（＞＞６ＧＨｚ）でワイドセクタビームを利用すると、同じアンテナ利得ではセルカバレッジが縮小される。したがって、より高い周波数帯で必要なセルカバレッジを提供するためには、増加した経路損失を補償するために、より高いアンテナ利得が必要とされる。ワイドセクタビームでアンテナ利得を増加させるためには、より多いアンテナアレイ（数十から数百までのアンテナ素子の数）が高利得ビームを形成するのに使用される。
【００２６】
高利得ビームはワイドセクタビームに比べて狭いため、下り共通チャネルを送信するための複数のビームが、必要なセルエリアをカバーするために必要とされる。アクセスポイントが形成することができる同時高利得ビームの数は、利用するトランシーバのアーキテクチャのコスト及び複雑さによって制限されることがある。実際には、より高い周波数では、同時高利得ビームの数は、セルエリアをカバーするために必要なビームの総数よりもはるかに少ない。言い換えると、アクセスポイントは、任意の所与の時点でビームのサブセットを使用することによってセルエリアの一部のみをカバーすることが可能である。
【００２７】
３ＧＰＰ  Ｒ２−１６３７１６において議論されているように、ビームフォーミングは一般的に、指向性信号の送信／受信の場合にアンテナアレイにおいて使用される信号処理技術である。ビームフォーミングによれば、特定の角度での信号が強め合う干渉を経験する一方で、他の信号が弱め合う干渉を経験するように、アンテナのフェーズドアレイ（phased  array）における素子を組み合わせることによって、ビームを形成することができる。複数のアンテナアレイを使用して、異なるビームを同時に利用することができる。
【００２８】
ビームフォーミングは一般的に、３つのタイプの実装に分類することができる。デジタルビームフォーミング、ハイブリッドビームフォーミング及びアナログビームフォーミングである。デジタルビームフォーミングの場合、ビームはデジタル領域で生成される。すなわち、各アンテナ素子の重み付けは、（例えば、ＴＸＲＵ（トランシーバユニット）に接続されている）ベースバンドによって制御されることができる。したがって、各サブバンドのビーム方向をシステムの帯域幅に渡って異なるように調整することが非常に容易である。また、ビーム方向を時々変更するのに、ＯＦＤＭ（直交周波数分割多重）シンボル間でいかなるスイッチング時間を必要としない。方向がすべてのカバレッジをカバーするすべてのビームが同時に生成されることができる。しかし、この構造は、ＴＸＲＵ（トランシーバ／ＲＦチェーン）とアンテナ素子との間に（ほぼ）１対１のマッピングを必要とし、アンテナ素子の数が増加し、システム帯域幅が増加する（熱の問題も存在する）につれて、かなり複雑になる。
【００２９】
アナログビームフォーミングの場合、ビームはアナログ領域で生成される。すなわち、各アンテナ素子の重み付けは、ＲＦ（無線周波数）回路内の振幅／位相シフタによって制御されることが可能である。重み付けは純粋に回路によって制御されるため、同じビーム方向をシステム帯域幅全体に適用する。また、ビーム方向を変更すべき場合は、スイッチング時間が必要とされる。アナログビームフォーミングによって同時に生成されるビームの数は、ＴＸＲＵの数に依存する。所与のサイズのアレイに対して、ＴＸＲＵが増加すると、各ビームのアンテナ素子が減少することがあり、それにより、より広いビームが生成されることになることに留意されたい。要するに、アナログビームフォーミングは、デジタルビームフォーミングの複雑さ及び熱問題を回避することができる、一方、動作がより制限される。ハイブリッドビームフォーミングは、アナログビームフォーミングとデジタルビームフォーミングの間の妥協点とみなすことができる。ここで、ビームはアナログ領域及びデジタル領域の両方から来ることができる。３つのタイプのビームフォーミングを図５に示す。
【００３０】
３ＧＰＰ  Ｒ２−１６２７０９において議論されているように、ｅＮＢ（進化型Ｎｏｄｅ  Ｂ）は、複数のＴＲＰ（集中型又は分散型のいずれか一方）を有することができる。各ＴＲＰ（送信／受信ポイント）は、複数のビームを形成することができる。ビームの数及び時間／周波数領域における同時ビームの数は、ＴＲＰでのアンテナアレイ素子の数及びＲＦに依存する。
【００３１】
ＮＲについての可能性のあるモビリティタイプは次のように列挙することができる。
・ＴＲＰ内（Intra-TRP）モビリティ
・ＴＲＰ間（Inter-TRP）モビリティ
・ＮＲ  ｅＮＢ間（Inter-NR  eNB）モビリティ
３ＧＰＰ  Ｒ２−１６２７６２において議論されているように、ビームフォーミングに純粋に依存し、より高い周波数で動作するシステムの信頼性は挑戦的なものとなるかもしれない。カバレッジが時間及び空間の両方の変動に対してより敏感になるかもしれないためである。その結果として、狭リンクのＳＩＮＲ（信号対干渉雑音比）は、ＬＴＥの場合よりもはるかに急速に低下する可能性がある。
【００３２】
アクセスノードにおいて数百の数の素子を備えるアンテナアレイを使用して、ノード当たり数十又は数百の候補ビームを備えたかなり規則的なグリッドオブビーム（grid-of-beam）カバレッジパターンを生成してよい。そのようなアレイからの個々のビームのカバレッジエリアは、幅数十メートルのオーダーにまで小さくなることがある。結果として、現在のサービングビームエリアの外側のチャネル品質の低下が、ＬＴＥによって提供されるようなワイドエリアカバレッジの場合よりもより急速になる。
【００３３】
ＲＡＮ１＃８５会議におけるビームフォーミングについてのいくつかの合意は以下の通りである。
【００３４】
（外１−１）
2018061246.tif 000003
（外１−２）
2018061246.tif 000004
（外１−３）
2018061246.tif 000005
【００３５】
ビーム動作及びＴＲＰのサポートにより、セルは、ＵＥをスケジューリングするための複数の選択肢を有してよい。例えば、同じデータをＵＥに送信するＴＲＰからの複数のビームが存在してよく、送信についてより高い信頼性を提供することができる。代替的には、複数のＴＲＰからの複数のビームが同じデータをＵＥに送信する。スループットを向上させるために、単一のＴＲＰがＵＥに対して異なるビーム上で異なるデータを送信することも可能である。また、複数のＴＲＰが異なるビーム上で異なるデータをＵＥに送信することができる。
【００３６】
ＬＴＥシステムでは、ＵＬ送信電力は、複数のファクタにより決定され、それらのファクタのうちの１つは、ＤＬ経路損失である。経路損失はＣＲＳ測定から得られる。さらに、従来のＬＴＥ又はＬＴＥ−Ａでは、ＤＭ  ＲＳの送信電力は、対応するＵＬ送信、例えばＰＵＳＣＨ（Physical  Uplink  Shared  Channel：物理上り共有チャネル）又はＰＵＣＣＨ（Physical  Uplink  Control  Channel：物理上り制御チャネル）に結び付けられる。ＳＲＳ（サウンディング参照信号）のための送信電力は、ｅＮＢがＵＬチャネルを測定するためのＰＵＳＣＨに結び付けられる。より詳細な情報は、以下のように、３ＧＰＰ  ＴＳ  ３６．２１３の第５節に見出すことができる。
【００３７】
（外２−１）
2018061246.tif 000006
（外２−２）
2018061246.tif 000007
（外２−３）
2018061246.tif 000008
（外２−４）
2018061246.tif 000009
（外２−５）
2018061246.tif 000010
（外２−６）
2018061246.tif 000011
（外２−７）
2018061246.tif 000012
（外２−８）
2018061246.tif 000013
（外２−９）
2018061246.tif 000014
（外２−１０）
2018061246.tif 000015
（外２−１１）
2018061246.tif 000016
【００３８】
“KPUSCH  for  TDD  Configuration  0-6”と題する、３ＧＰＰ  ＴＳ  ３６．２１３  ｖ１３．２．０の表５．１．１．１−１は、図６として再現されている。
【００３９】
“Mapping  of  TPC  Command  Field  in  DCI  format  0/3/4  to  absolute  and  accumulated  δPUSCH,c  values”と題する、３ＧＰＰ  ＴＳ  ３６．２１３  ｖ１３．２．０の表５．１．１．１−２は、図７Ａとして再現されている。
【００４０】
“Mapping  of  TPC  Command  Field  in  DCI  format  3A  to  accumulated  δPUSCH,c  values”と題する、３ＧＰＰ  ＴＳ  ３６．２１３  ｖ１３．２．０の表５．１．１．１−３は、図７Ｂとして再現されている。
【００４１】
（外３−１）
2018061246.tif 000017
（外３−２）
2018061246.tif 000018
（外３−３）
2018061246.tif 000019
（外３−４）
2018061246.tif 000020
（外３−５）
2018061246.tif 000021
（外３−６）
2018061246.tif 000022
（外３−７）
2018061246.tif 000023
【００４２】
“Mapping  of  TPC  Command  Field  in  DCI  format  1A/1B/1D/1/2A/2B/2C/2D/2/3  to  δPUCCH  values”と題する、３ＧＰＰ  ＴＳ  ３６．２１３  ｖ１３．２．０の表５．１．２．１−１は、図８として再現されている。
【００４３】
“Mapping  of  TPC  Command  Field  in  DCI  format  3A  to  δPUCCH  values”と題する、３ＧＰＰ  ＴＳ  ３６．２１３  ｖ１３．２．０の表５．１．２．１−２は、図９として再現されている。
【００４４】
（外４−１）
2018061246.tif 000024
（外４−２）
2018061246.tif 000025
【００４５】
チャネル状態情報（ＣＳＩ）は、チャネル品質インジケータ（ＣＱＩ）、ＰＭＩ（プリコーディング行列インジケータ）、ＲＩ（ランクインジケータ）を含んでよい。ＣＳＩ測定は、ＣＲＳ又はＣＳＩ−ＲＳから測定される。以下の引用から分かるように、ＣＱＩは、例えば、誤り率目標、チャネル状態などの特定の仮定の下での手頃な変調および符号化方式の指標であり、チャネルに対する暗黙のフィードバックの一種であり、例えば、特定の信号の信号対干渉雑音比（ＳＩＮＲ）によって決定されることができる。
【００４６】
代替的には、ＣＱＩは、可能な量子化を用いて、実チャネル係数を指示するのに使用されることもできる。ＰＭＩは、アンテナ領域での好ましいプリコーディング行列の指標であり、信号品質（ビームフォーミング利得）を拡大する、あるいは異なるアンテナから所与のＵＥへの複数のストリーム（レイヤ）間の干渉を低減するのに使用されることができる。ＲＩは、ＵＥに対するストリーム（レイヤ）の好ましい又は手頃な数の指標である。より詳細な情報は、以下のように、３ＧＰＰ  ＴＳ  ３６．２１３の第７．２節に見出すことができる。
【００４７】
（外５−１）
2018061246.tif 000026
（外５−２）
2018061246.tif 000027
（外５−３）
2018061246.tif 000028
（外５−４）
2018061246.tif 000029
（外５−５）
2018061246.tif 000030
（外５−６）
2018061246.tif 000031
（外５−７）
2018061246.tif 000032
（外５−８）
2018061246.tif 000033
（外５−９）
2018061246.tif 000034
（外５−１０）
2018061246.tif 000035
（外５−１１）
2018061246.tif 000036
（外５−１２）
2018061246.tif 000037
（外５−１３）
2018061246.tif 000038
（外５−１４）
2018061246.tif 000039
（外５−１５）
2018061246.tif 000040
【００４８】
“PDSCH  transmission  scheme  assumed  for  CSI  reference  resource”と題する、３ＧＰＰ  ＴＳ  ３６．２１３  ｖ１３．２．０の表７．２．３−０は、図１０として再現されている。
【００４９】
“4-bit  CQI  Table”と題する、３ＧＰＰ  ＴＳ  ３６．２１３  ｖ１３．２．０の表７．２．３−１は、図１１として再現されている。
【００５０】
“4-bit  CQI  Table  2”と題する、３ＧＰＰ  ＴＳ  ３６．２１３  ｖ１３．２．０の表７．２．３−２は、図１２として再現されている。
【００５１】
“4-bit  CQI  Table  3”と題する、３ＧＰＰ  ＴＳ  ３６．２１３  ｖ１３．２．０の表７．２．３−３は、図１３として再現されている。
【００５２】
一般に、ビームフォーミングの場合に物理レイヤ手順はマルチビームに基づくアプローチを必要とする。ｅＮＢは、より高い周波数でより高い経路損失を克服するためにビームフォーミングを実行する。１つの時間又は１つのシンボル時間で、ｅＮＢは、アナログ又はハイブリッドビームフォーミングの制限により、すべてのｅＮＢビームではなく、ｅＮＢビームの一部を生成する。送信スケジューリングのため、ｅＮＢは、ＵＥのビーム情報、例えば、どのｅＮＢビームがＵＥに適格であるかを必要とする。適格なチャネル品質を有するｅＮＢビームとは、あるしきい値より大きいＲＳＲＰ（Reference  Signal  Received  Power：参照信号受信電力）若しくはＳＩＮＲを有するビーム、又はあるしきい値よりも小さい経路損失（ＰＬ）を有するビームを意味してよい。代替的には、適格なチャネル品質を有するｅＮＢビームとは、最良のチャネル品質を有するｅＮＢビームと比較して、あるしきい値よりも小さいＲＳＲＰ若しくはＳＩＮＲ又はＰＬ（絶対）差を有するビームを意味してよい。
【００５３】
ｅＮＢは、ＳＲＳでビーム掃引を実行して、ＵＥの適格なｅＮＢビーム情報を取得してよい。代替的には、ＵＥは、ｅＮＢビーム測定を実行し、そして、適格なｅＮＢビーム情報をｅＮＢに報告することができる。同様に、ＵＥは、ビームフォーミングを実行する、すなわち、ＵＥビームを形成する能力を有し、より多くの電力利得を得てよい。
【００５４】
マルチビームに基づくアプローチでは、ＵＬ  ＲＳ（Reference  Signal：参照信号）電力を決定する方法についての考慮を必要とする。ＵＬ  ＲＳは、復調のためのＵＬ  ＲＳ、チャネル測定のためのＵＬ  ＲＳ、及びビーム管理のためのＵＬ  ＲＳを含んでよい。復調のためのＵＬ  ＲＳは、ＵＬ  ＤＭＲＳでよい。チャネル測定のためのＵＬ  ＲＳは、サウンディングＲＳでよい。ビーム管理のためのＵＬ  ＲＳは、サウンディングＲＳ又は新しいＵＬ  ＲＳでよい。
【００５５】
異なる機能特性及び要件を考慮して、異なる電力制御メカニズムを適用してよい。
【００５６】
復調のためのＵＬ  ＲＳは、上りデータ及び／又は制御チャネルの復調のためのものであるため、復調のためのＵＬ  ＲＳの送信電力は、関連付けられた上りデータ及び／又は制御チャネルの送信電力として決定されるものとする。
【００５７】
ＵＬチャネル測定のためのＵＬ  ＲＳに関しては、ＵＬチャネルを測定する際にＴＲＰ又はｅＮＢを支援するという動機づけがある。ＬＴＥ又はＬＴＥ−Ａにおいては、ＳＲＳがＵＬチャネル測定に利用される。そして、ＳＲＳ電力は、例えば、いくつかの構成された電力パラメータを共有し、閉ループ電力制御調整状態を共有する、ＰＵＳＣＨに関連付けられる。マルチビームに基づくアプローチの場合、１つの可能な方向は、チャネル測定のためのＵＬ  ＲＳの送信電力を決定するためにＵＬデータチャネルを関連付けることである。
【００５８】
チャネル測定のためのＵＬ  ＲＳは、サウンディング参照信号でよい。異なるＵＥビーム上のチャネル測定のためのＵＬ  ＲＳの送信電力は、異なってよい。さらに、ＴＰＣ（Transmit  Power  Control：送信電力制御）（コマンド）を、ビーム管理、上りデータ及び／又は制御チャネルのためのＵＬ  ＲＳ、及び／又はＵＬチャネル測定のためのＵＬ  ＲＳのためのＵＬ  ＲＳの電力制御に適用することができる。ＴＰＣ（コマンド）は、ＤＬ（Downlink：下り）制御シグナリングを介して配信されてよい。
−  上りデータチャネルの電力制御がＵＥビームごとに実行される場合、ＵＥビームごとに経路損失導出及び／又はＴＰＣコマンドを適用する。ＵＥビームのチャネル測定のためのＵＬ  ＲＳの送信電力を同じＵＥビームの上りデータチャネルに関連付けることができる。より具体的には、チャネル測定のためのＵＬ  ＲＳの送信電力を、同じＵＥビーム上の上りデータチャネルのいくつかの構成された電力パラメータ、経路損失導出又は閉ループ電力制御調整状態のいずれかを共有することを介して決定することができる。リンクされたｅＮＢビーム又はＴＲＰビーム及び各ＵＥビームについて伝搬経路は異なるので、ＵＬチャネル測定のためのＵＬ  ＲＳの電力制御をＵＥビームごとに実行したほうがより正確で適応性がある。
−  上りデータチャネルの電力制御がＵＥビームごとに実行されない場合、例えば、ＵＥごとに上りデータチャネルの電力制御が実行され、すべてのビームに経路損失導出及びＴＰＣコマンド（enhanced：拡張）を適用する。ＵＥは、どのＵＥビームが上りデータチャネルに使用されるかにかかわらず、上りデータチャネルにＵＥビームのチャネル測定のためのＵＬ  ＲＳの送信電力を関連付けることができる。より具体的には、ＵＥビームのチャネル測定のためのＵＬ  ＲＳの送信電力を、どのＵＥビームが上りデータチャネル送信に使用されるかにかかわらず、最新の上りデータチャネル送信の送信電力に関連付ける。チャネル測定のためのＵＬ  ＲＳ送信と同じサブフレーム、スロット、又はミニスロット内に上りデータチャネル送信がある場合、チャネル測定のためのＵＬ  ＲＳの送信電力を、上りデータチャネル送信に関連付けてよい。代替的には、ＵＥは、ＵＥビームのチャネル測定のためのＵＬ  ＲＳの送信電力を、同じＵＥビーム上の上りデータチャネルに関連付けることができる。より具体的には、ＵＥビームのチャネル測定のためのＵＬ  ＲＳの送信電力を、同じＵＥビーム上の最新の上りデータチャネル送信の送信電力に関連付ける。チャネル測定のためのＵＬ  ＲＳ送信と同じサブフレーム、スロット、又はミニスロット内で同じＵＥビーム上の上りデータチャネル送信がある場合、チャネル測定のためのＵＬ  ＲＳの送信電力を、上りデータチャネル送信に関連付けてよい。この関連付けは、チャネル測定のためのＵＬ  ＲＳの送信電力決定が、関連付けられた上りデータチャネルのいくつかの構成された電力パラメータ、経路損失導出、又は閉ループ電力制御調整状態のいずれかを共有することを意味する。
【００５９】
より具体的には、チャネル測定のためのＵＬ  ＲＳは、適格なｅＮＢビーム又はＴＲＰビームにリンクされたＵＥビーム上で構成又は送信されてよい。検出されたｅＮＢビーム又はＴＲＰビームがない場合、あるいはＵＥビーム上にリンクされた適格なｅＮＢビーム又はＴＲＰビームがない場合、そのＵＥビーム上でのチャネル測定のためのＵＬ  ＲＳ送信をスキップすることを可能としてよい。より具体的には、検出されたｅＮＢビーム又はＴＲＰビームがないこと、又はリンクされた適格なｅＮＢビーム又はＴＲＰビームがないこととは、関連付けられたＤＬ  ＲＳが検出されないこと、又は関連付けられたＤＬ  ＲＳのチャネル品質がより悪いこと（例えば、ＲＳＲＰがしきい値よりも低いこと）を意味してよい。代替的には、検出されたｅＮＢビーム又はＴＲＰビームがない、あるいはＵＥビーム上にリンクされた適格なｅＮＢビーム又はＴＲＰビームがない場合、チャネル測定のためのＵＬ  ＲＳがＵＥビーム上で送信される。
【００６０】
ビーム測定のためのＵＬ  ＲＳに関しては、ＵＥのための適格なｅＮＢビーム及び／又は適格なＵＥビームを検出及び／又は追跡する際に、ＴＲＰ又はｅＮＢを支援するという動機づけがある。すべてのＵＥビームがビーム測定のためのＵＬ  ＲＳに同じ送信電力を共有すると仮定してよい。ビーム管理のためのＵＬ  ＲＳの電力制御は、ＵＬチャネル測定のためのＵＬ  ＲＳの電力制御とは別個に実行される。より具体的には、ビーム管理のためのＵＬ  ＲＳの電力制御は、上りデータ及び／又は制御チャネルに関連付けられなくてよい。さらに、上りデータ及び／又は制御チャネル及びＵＬチャネル測定のためのＵＬ  ＲＳではなく、特にビーム管理のためのＵＬ  ＲＳの電力制御のＴＰＣ（コマンド）を設計することが可能である。ＴＰＣ（コマンド）をＵＥビームごとに適用してよい。さらに、ＴＰＣ（コマンド）をＵＥビームグループごとに適用してよい。ＴＰＣ（コマンド）は、ＤＬ制御シグナリングを介して配信されてよい。
【００６１】
さらに、検出されたｅＮＢビーム又はＴＲＰビームがない場合、あるいはＵＥビーム上にリンクされた適格なｅＮＢビーム又はＴＲＰビームがない場合、ＵＥは、そのＵＥビーム上でのビーム管理のためのＵＬ  ＲＳ送信の一部又はすべての送信機会をスキップすることが可能である。代替的には、ＵＥは、ＵＬチャネル測定のための（定期的な）ＵＬ  ＲＳを有するＵＥビームを除いて、ビーム管理のための（定期的な）ＵＬ  ＲＳを送信してよい。これは、検出されたｅＮＢビーム又はＴＲＰビームがある場合、あるいはＵＥビーム上にリンクされた適格なｅＮＢビーム又はＴＲＰビームがある場合、ＵＥは、そのＵＥビーム上でのビーム管理するための（定期的な）ＵＬ  ＲＳ送信の一部又はすべての送信機会をスキップすることを意味してよい。ＵＬチャネル測定のための（定期的な）ＵＬ  ＲＳ送信は、ビーム管理を実行する際にｅＮＢ又はＴＲＰを支援することができるからである。より具体的には、検出されたｅＮＢビーム又はＴＲＰビームがないこと、あるいはリンクされた適格なｅＮＢビーム又はＴＲＰビームがないことは、関連付けられたＤＬ  ＲＳが検出されないこと、又は関連付けられたＤＬ  ＲＳのチャネル品質がより悪い、例えば、ＲＳＲＰがしきい値よりも低いことを意味してよい。代替的には、検出されたｅＮＢビーム又はＴＲＰビームがない、あるいはＵＥビーム上にリンクされた適格なｅＮＢビーム又はＴＲＰビームがない場合、ビーム管理のためのＵＬ  ＲＳがＵＥビーム上で送信される。
【００６２】
図１４は、ＵＥの観点からの例示的な一実施形態によるフローチャート１４００である。ステップ１４０５において、ＵＥは、第１の電力制御メカニズムに基づいて、第１のＵＬ  ＲＳの第１の送信電力を導出する。ステップ１４１０において、ＵＥは、第２の電力制御メカニズムに基づいて、第２のＵＬ  ＲＳの第２の送信電力を導出する。ステップ１４１５において、ＵＥは、第１の送信電力で第１のＵＬ  ＲＳを送信する。ステップ１４２０で、ＵＥは、第２の送信電力で第２のＵＬ  ＲＳを送信する。
【００６３】
図１５は、ＵＥの観点からの例示的な一実施形態による、フローチャート１５００である。ステップ１５０５において、ＵＥは、第１の電力制御メカニズムに基づいて、第１のＵＬ  ＲＳの第１の送信電力を導出する。ここで、第１の電力制御メカニズムに基づいて第１の送信電力を導出することは、上りデータチャネルに関連付けられる。ステップ１５１０において、ＵＥは、第２の電力制御メカニズムに基づいて第２のＵＬ  ＲＳの第２の送信電力を導出する。ここで、第２の電力制御メカニズムに基づいて第２の送信電力を導出することは、上りデータチャネルに関連付けられない。ステップ１５１５において、ＵＥは、第１の送信電力で第１のＵＬ  ＲＳを送信する。ステップ１５２０において、ＵＥは、第２の送信電力で第２のＵＬ  ＲＳを送信する。
【００６４】
一実施形態では、ステップ１５２５に示すように、ＵＥは、第１のＴＰＣ（コマンド）を受信する。ここで、第１のＴＰＣ（コマンド）を、第１のＵＬ  ＲＳの第１の電力制御メカニズムに適用し、かつ上りデータチャネルに適用する。さらに、ステップ１５３０において、ＵＥは、第２のＴＰＣ（コマンド）を受信する。ここで、第２のＴＰＣ（コマンド）を、第２のＵＬ  ＲＳの第２の電力制御メカニズムに適用するが、上りデータチャネル及び第１のＵＬ  ＲＳの第１の電力制御メカニズムには適用しない。
【００６５】
一実施形態では、第１のＵＬ  ＲＳ及び第２のＵＬ  ＲＳは、異なる特性を有する異なる機能に使用されることができる。例えば、第１のＵＬ  ＲＳをチャネル測定に使用することができる。例えば、第２のＵＬ  ＲＳをビーム管理に使用することができる。第１のＵＬ  ＲＳ及び第２のＵＬ  ＲＳは、異なる種類又はタイプの参照シグナリングとすることができる。例えば、第１のＵＬ  ＲＳは、サウンディング参照信号とすることができる。例えば、第２のＵＬ  ＲＳは、サウンディング参照信号とすることができる。第２のＵＬ  ＲＳのサウンディング参照信号は、第１のＵＬ  ＲＳとは異なる種類又はタイプとすることができる。代替的には、第２のＵＬ  ＲＳは、ＤＭＲＳ（DeModulation  Reference  Signal：復調用参照信号）及びサウンディング参照信号ではないようにすることができる。
【００６６】
一実施形態では、第１の電力制御メカニズムの場合、第１のＵＬ  ＲＳの第１の送信電力の導出は、上りデータチャネルに関連付けられることができる。第１の電力制御メカニズムの場合、第１のＵＬ  ＲＳの第１の送信電力導出は、関連付けられた上りデータチャネルのいくつかの構成された電力パラメータ、経路損失導出、又は閉ループ電力制御調整状態のいずれかを共有することができる。第１の電力制御メカニズムに基づいた第１の送信電力の導出は、関連付けられた上りデータチャネルのいくつかの構成された電力パラメータ、経路損失導出、及び閉ループ電力制御調整状態のうちの少なくとも１つを使用する。
【００６７】
第１の電力制御メカニズムの場合、上りデータチャネルの電力制御がＵＥビームごとに実行される場合、ＵＥビームの第１のＵＬ  ＲＳの第１の送信電力は、同じＵＥビームの上りデータチャネルと関連付けられることができる。代替的には、第１の電力制御メカニズムの場合、上りデータチャネルの電力制御がＵＥごとに実行される場合、どのＵＥビームが上りデータチャネルに使用されるかにかかわらず、ＵＥビームの第１のＵＬ  ＲＳの第１の送信電力は、上りデータチャネルに関連付けられることができる。代替的には、あるいは追加的には、ＵＥビームの第１のＵＬ  ＲＳの第１の送信電力は、どのＵＥビームが上りデータチャネル送信に使用されるかにかかわらず、最新の上りデータチャネル送信に関連付けられることができる。
【００６８】
一実施形態では、第１の電力制御メカニズムの場合、第１のＵＬ  ＲＳ送信と同じサブフレーム、スロット、又はミニスロットで上りデータチャネル送信がある場合、第１のＵＬ  ＲＳの第１の送信電力は上りデータチャネル送信に関連付けられることができる。第１の電力制御メカニズムの場合、上りデータチャネルの電力制御がＵＥごとに行われる場合、ＵＥビームの第１のＵＬ  ＲＳの第１の送信電力は、同じＵＥビーム上の上りデータチャネル（又は最新の上りデータチャネル）に関連付けられることができる。
【００６９】
一実施形態では、第１の電力制御メカニズムの場合、第１のＵＬ  ＲＳ送信と同じサブフレーム、スロット、又はミニスロットにおける同じＵＥビーム上に上りデータチャネル送信がある場合、第１のＵＬ  ＲＳの第１の送信電力は、上りデータチャネル送信に関連付けられることができる。
【００７０】
一実施形態では、ＵＥは、第１のＴＰＣ（Transmit  Power  Control：送信電力制御）（コマンド）を受信する。第１のＴＰＣ（コマンド）は、ＤＬ（ダウンリンク）制御シグナリングを介して配信されることができる。第１のＴＰＣ（コマンド）を第１のＵＬ  ＲＳの第１の電力制御メカニズムに適用することができる。代替的には、あるいは追加的には、第１のＴＰＣ（コマンド）を上りデータチャネルの電力制御に適用することができる。代替的には、あるいは追加的には、第１のＴＰＣ（コマンド）を上り制御チャネルに適用することができる。
【００７１】
一実施形態では、ＵＥは、検出されたｅＮＢビーム又はＴＲＰビームがない、あるいはＵＥビーム上にリンクされた適格なｅＮＢビーム又はＴＲＰビームがない場合、そのＵＥビーム上での第１のＵＬ  ＲＳ送信をスキップすることができる。第１の電力制御メカニズムの場合、異なるＵＥビーム上の第１のＵＬ  ＲＳの第１の送信電力は異なることができる。
【００７２】
一実施形態では、第２のＵＬ  ＲＳの第２の送信電力の導出を、第１のＵＬ  ＲＳの第１の送信電力の導出とは別に実行することができる。第２の電力制御メカニズムの場合、第２のＵＬ  ＲＳの第２の送信電力の導出は、上りデータ及び／又は制御チャネルに関連付けられなくてもよい。第２の電力制御メカニズムの場合、異なるＵＥビームの第２のＵＬ  ＲＳの第２の送信電力は同じにすることができる。
【００７３】
一実施形態では、ＵＥは、第２のＴＰＣ（コマンド）を受信する。第２のＴＰＣ（コマンド）は、ＤＬ制御シグナリングを介して配信されることができる。第２のＴＰＣ（コマンド）を、ＵＥビームごとに、又はＵＥビームグループごとに適用することができる。代替的には、あるいは追加的には、第２のＴＰＣ（コマンド）を、（具体的には）第２のＵＬ  ＲＳの第２の電力制御メカニズムに適用することができる。しかし、第２のＴＰＣ（コマンド）を、上りデータ及び／又は制御チャネル、及び／又は第１のＵＬ  ＲＳの第１の電力制御メカニズムに適用しなくてよい。
【００７４】
一実施形態では、検出されたｅＮＢビーム又はＴＲＰビームがない、あるいはＵＥビーム上にリンクされた適格なｅＮＢビーム又はＴＲＰビームがない場合、ＵＥは、そのＵＥビーム上での第２のＵＬ  ＲＳの（一部又はすべての）送信機会をスキップすることができる。代替的には、ＵＥビーム上で任意の検出されたｅＮＢビーム又はＴＲＰビームがある、あるいはリンクされた適格なｅＮＢビーム又はＴＲＰビームがある場合、ＵＥは、そのＵＥビーム上での第２のＵＬ  ＲＳの一部又はすべての送信機会をスキップすることができる。ＵＥビーム上で検出されたｅＮＢビーム又はＴＲＰビームがないとは、ＵＥビーム上でＤＬ  ＲＳが検出されないこと、又はＤＬ  ＲＳの測定されたチャネル品質がより悪いことを意味することができる。ＵＥビーム上にリンクされた適格なｅＮＢビーム又はＴＲＰビームがないとは、関連付けられたＤＬ  ＲＳがＵＥビーム上で検出されないこと、又はＤＬ  ＲＳの測定されたチャネル品質がより悪いことを意味することができる。ＤＬ  ＲＳのより悪いチャネル品質とは、ＤＬ  ＲＳの測定されたＲＳＲＰがしきい値よりも低いことを意味することができる。ＤＬ  ＲＳは、ビーム参照信号とすることができる。
【００７５】
適格なチャネル品質を有するｅＮＢビーム又はＴＲＰビームとは、ＵＥが、あるしきい値より大きいＲＳＲＰ又はＳＩＮＲで、あるいはあるしきい値よりも小さい経路損失で、ｅＮＢビーム又はＴＲＰビームを受信することを意味することができる。
【００７６】
一実施形態では、ＵＥは、（定期的な）第１のＵＬ  ＲＳを有するＵＥビーム上を除いて（定期的な）第２のＵＬ  ＲＳを送信することができる。
【００７７】
図３及び図４に戻って参照すると、図１４に示し、上述したＵＥの例示的な一実施形態においては、デバイス３００は、メモリ３１０に記憶されたプログラムコード３１２を含む。ＣＰＵ３０８はプログラムコード３１２を実行して、ＵＥが（ｉ）第１の電力制御メカニズムに基づいて第１のＵＬ  ＲＳの第１の送信電力を導出することと、（ｉｉ）第２の電力制御メカニズムに基づいて第２のＵＬ  ＲＳの第２の送信電力を導出することと、（ｉｉｉ）第１の送信電力で第１のＵＬ  ＲＳを送信することと、（ｉｖ）第２の送信電力で第２のＵＬ  ＲＳを送信することと、を可能にする。さらに、ＣＰＵ３０８は、プログラムコード３１２を実行して、上述の活動及びステップ又は本明細書で説明したその他のすべてを実行することができる。
【００７８】
図３及び図４に戻って参照すると、図１５に示し、上述したＵＥの例示的な一実施形態においては、デバイス３００は、メモリ３１０に記憶されたプログラムコード３１２を含む。ＣＰＵ３０８は、プログラムコード３１２を実行して、ＵＥが（ｉ）第１の電力制御メカニズムに基づいて第１のＵＬ  ＲＳの第１の送信電力を導出することであって、第１の電力制御メカニズムに基づいて第１の送信電力を導出することは上りデータチャネルに関連付けられる、導出することと、（ｉｉ）第２の電力制御メカニズムに基づいて第２のＵＬ  ＲＳの第２の送信電力を導出することであって、第２の電力制御メカニズムに基づいて第２の送信電力を導出することは、上りデータチャネルに関連付けられない、導出することと、（ｉｉｉ）第１の送信電力で第１のＵＬ  ＲＳを送信することと、（ｉｖ）第２の送信電力で第２のＵＬ  ＲＳを送信することと、を可能にする。
【００７９】
一実施形態では、ＣＰＵ３０８は、プログラムコード３１２を実行して、さらにＵＥが（ｉ）第１のＴＰＣ（コマンド）を受信することであって、第１のＴＰＣ（コマンド）を、第１のＵＬ  ＲＳの第１の電力制御メカニズムに適用し、かつ上りデータチャネルに適用する、受信することと、（ｉｉ）第２のＴＰＣ（コマンド）を受信することであって、第２のＴＰＣ（コマンド）を、第２のＵＬ  ＲＳの第２の電力制御メカニズムに適用するが、上りデータチャネル及び第１のＵＬ  ＲＳの第１の電力制御メカニズムには適用しない、受信することと、を可能にする。
【００８０】
さらに、ＣＰＵ３０８は、プログラムコード３１２を実行して、上述の活動及びステップ又は本明細書で説明したその他のすべてを実行することができる。
【００８１】
（初期アクセスの場合）ランダムアクセス中に、ランダムアクセスに使用されるいくつかのビームの初期送信電力を決定してよい。例示的な図１６及び図１７に示すように、ＲＡ（ランダムアクセス）手順中、送信電力Ｐ１を有するＵＥビームＢ２が見出される。これは、ＴＲＰが受信しきい値ＰＲＸを超える受信電力でＵＥビームＢ２上のＵＬ送信を検出できることを意味する。さらに、同じＴＲＰに対して、ＵＥビームＢ３は適格なＵＥビームとなる候補ビームとして見なされるが、ＵＥビームＢ１及びＢ４はそうではない。そして、ＴＲＰでの受信電力が受信しきい値ＰＲＸよりも低いため、すべての候補ＵＥビームが送信電力Ｐ１で見出されることができるわけではない。
【００８２】
したがって、すべての候補ＵＥビームを検出する際にＴＲＰを支援するために、以下のアプローチを考慮し、使用するができる。
【００８３】
第１のアプローチ  −  概して、第１のアプローチは、図１６及び図１７の例における、例えばＵＥビームＢ１〜Ｂ４である各ＵＥビーム上でビーム管理のためのＵＬ  ＲＳの送信電力に対して特定電力値を使用することである。特定電力値を構成又は指定する（configured  or  specified）ことができる。さらに、経路損失を送信電力導出のために考慮しなくてよい。より具体的には、ビーム管理のためのＵＬ  ＲＳの送信電力が、特定電力値として設定される。代替的には、経路損失を送信電力導出のために考慮してよく、経路損失をｅＮＢビーム又はＴＲＰビームのＤＬ  ＲＳ測定結果から導出してよい。より具体的には、ビーム管理のためのＵＬ  ＲＳの送信電力が、特定電力値＋経路損失として設定される。ＤＬ  ＲＳはＢＲＳ（ビーム参照信号）でよい。
【００８４】
さらに、検出されたｅＮＢビーム又はＴＲＰビームがない場合、又はＵＥビーム上にリンクされた適格なｅＮＢビーム又はＴＲＰビームがない場合、ＵＥは、そのＵＥビーム上でのビーム管理のためのＵＬ  ＲＳの一部又はすべての送信機会をスキップすることが可能である。
【００８５】
第２のアプローチ  −  概して、第２のアプローチは、ビーム管理のためのＵＬ  ＲＳの送信電力導出が、ｅＮＢ又はＴＲＰ検出のためのＵＥビームの必要なＵＬ送信電力を含むことである。ｅＮＢ又はＴＲＰ検出のためのＵＥビームの必要なＵＬ送信電力とは、ｅＮＢ又はＴＲＰが受信しきい値を超える受信電力でＵＬ  ＲＳを受信できることを意味する。さらに、ビーム管理のためのＵＬ  ＲＳの送信電力導出は、オフセットを含む。より具体的には、オフセットは適格なビーム基準である。適格なチャネル品質を有するｅＮＢビーム又はＴＲＰビームとは、最良のチャネル品質を有するｅＮＢビーム又はＴＲＰビームと比較して、適格なビーム基準よりも小さいＲＳＲＰ、ＳＩＮＲ、又はＰＬ（絶対）差を有するｅＮＢビーム又はＴＲＰビームを意味する。例えば、送信電力Ｐ１を有するＵＥビームＢ２は、ＲＡ手順中に導出される。そして、ＵＥビームＢ２上でのビーム管理のためのＵＬ  ＲＳの送信電力はＰ１＋オフセットである。同様に、ＵＥビームＢ３、Ｂ１及びＢ４上でのビーム管理のためのＵＬ  ＲＳの送信電力は、Ｐ１＋オフセットである。これは、ビーム管理のためのＵＬ  ＲＳの（初期の）送信電力が、ランダムアクセス手順から導出されたＵＥビームの必要なＵＬ送信電力及びオフセットから導出されることを意味する。
【００８６】
ビーム管理のためのＵＬ  ＲＳの送信電力導出は、受信しきい値を超える受信電力でのｅＮＢ又はＴＲＰ検出のためのＵＥビームの必要なＵＬ送信電力を含んでよい。表されるＰ１、Ｐｘ、Ｐｙ、Ｐｚは、受信しきい値ＰＲＸを超える受信電力でのｅＮＢ又はＴＲＰ検出のためのＵＥビームＢ２、Ｂ１、Ｂ３、Ｂ４上での必要なＵＬ送信電力である。ＵＥの移動又は回転により、伝搬損失が変化するため、Ｐ１、Ｐｘ、Ｐｙ、Ｐｚの値が変化することがある。そして、ビーム管理のためのＵＬ  ＲＳの送信電力導出は、ｍｉｎ（Ｐ１、Ｐｘ、Ｐｙ、Ｐｚ）を含んでよい。より具体的には、ビーム管理のためのＵＬ  ＲＳの送信電力導出をｍｉｎ（Ｐ１、Ｐｘ、Ｐｙ、Ｐｚ）＋オフセットから導出してよい。代替的には、ＵＥビーム２が最良のチャネル品質を有するｅＮＢビーム又はＴＲＰビームと関連付けられる場合、ビーム管理のためのＵＬ  ＲＳの送信電力導出は、Ｐ１を含んでよい。より具体的には、ビーム管理のためのＵＬ  ＲＳの送信電力導出をＰ１＋オフセットから導出してよい。
【００８７】
より具体的には、受信しきい値を超える受信電力でのｅＮＢ又はＴＲＰ検出のためのＵＥビームの必要なＵＬ送信電力をｅＮＢビーム又はＴＲＰビームのＤＬ  ＲＳを測定することから導出してよい。したがって、Ｐ１、Ｐｘ、Ｐｙ、ＰｚをｅＮＢビーム又はＴＲＰビームのＤＬ  ＲＳを測定することから導出してよい。ＤＬ  ＲＳはＢＲＳでよい。
【００８８】
検出されたｅＮＢビーム又はＴＲＰビームがない、あるいはＵＥビーム上にリンクされた適格なｅＮＢビーム又はＴＲＰビームがない場合、Ｐｃｍａｘ又は値なしとして決定することができる。値なしとは、ビーム管理のためのＵＬ  ＲＳの送信電力決定に値が含まれていないことを意味する。例えば、ビーム管理のためのＵＬ  ＲＳの送信電力導出は、ｍｉｎ（Ｐ１、Ｐｙ）を含んでよく、ここで、ＵＥビームＢ２及びＢ３は適格なｅＮＢビーム又はＴＲＰビームにリンクされ、ＵＥビームＢ１及びＢ４はいかなる適格なｅＮＢビーム又はＴＲＰビームともリンクされない。
【００８９】
検出されたｅＮＢビーム又はＴＲＰビームがない、あるいはＵＥビームＢ１及びＵＥビームＢ４上にリンクされた適格なｅＮＢビーム又はＴＲＰビームがないため、Ｐｘ及びＰｚは、ビーム管理のためのＵＬ  ＲＳの送信電力決定に含まれない。より具体的には、ビーム管理のためのＵＬ  ＲＳの送信電力導出を、ｍｉｎ（Ｐ１，Ｐｙ）＋オフセットから導出してよい。代替的には、検出されたｅＮＢビーム又はＴＲＰビームがない、あるいはＵＥビーム上にリンクされた適格なｅＮＢビーム又はＴＲＰビームがない場合で、ＵＥビームについてＰｃｍａｘが決定された場合、ビーム管理のためのＵＬ  ＲＳの送信電力導出は、ｍｉｎ（Ｐ１，Ｐｘ，Ｐｙ，Ｐｚ）を含んでよい。より具体的には、ビーム管理のためのＵＬ  ＲＳの送信電力導出は、ｍｉｎ（Ｐ１，Ｐｘ，Ｐｙ，Ｐｚ）＋オフセットから導出してよい。
【００９０】
さらに、ビーム管理のための必要最小限のＵＥビーム出力として特定値を構成又は指定することができる。より具体的には、ビーム管理のためのＵＬ  ＲＳの送信電力導出は、Ｍａｘ（特定値，ｍｉｎ（Ｐ１，Ｐｘ，Ｐｙ，Ｐｚ）＋オフセット）から導出してよい。検出されたｅＮＢビーム又はＴＲＰビームがない場合、又はＵＥビームＢ１及びＵＥビームＢ４にリンクされた適格なｅＮＢビーム又はＴＲＰビームがない場合、ビーム管理のためのＵＬ  ＲＳの送信電力導出は、Ｍａｘ（特定電力値、ｍｉｎ（Ｐ１，Ｐｙ）＋オフセット）又はＭａｘ（特定値、ｍｉｎ（Ｐ１，Ｐｘ，Ｐｙ，Ｐｚ）＋オフセット）から導出してよい。
【００９１】
さらに、検出されたｅＮＢビーム又はＴＲＰビームがない場合、又はＵＥビーム上にリンクされた適格なｅＮＢビーム又はＴＲＰビームがない場合、ＵＥは、そのＵＥ上でのビーム管理のためのＵＬ  ＲＳ送信の一部又はすべての送信機会をスキップすることが可能である。
【００９２】
第３のアプローチ  −  概して、第３のアプローチは、ＵＬチャネル測定のための（定期的な）ＵＬ  ＲＳを有するＵＥビーム上を除いて、ＵＥがビーム管理のための（定期的な）ＵＬ  ＲＳを送信することである。これは、検出されたｅＮＢビーム若しくはＴＲＰビームがない、又はＵＥビーム上にリンクされた適格なｅＮＢビーム又はＴＲＰビームがリンクされている場合、ＵＥが、そのＵＥビーム上でのビーム管理のための（定期的な）ＵＬ  ＲＳ送信の一部又はすべての送信機会をスキップすることを意味してよい。ＵＬチャネル測定のための（定期的な）ＵＬ  ＲＳ送信は、ビーム管理を実行する際にｅＮＢ又はＴＲＰを支援することができるからである。したがって、このアプローチでは、ビーム管理のためのＵＬ  ＲＳの送信電力は、特定電力値から決定又は導出される。特定電力値を構成又は指定することができる。さらに、経路損失を送信電力導出のために考慮しなくてよい。代替的には、経路損失を送信電力導出のために考慮し、経路損失をｅＮＢビーム又はＴＲＰビームのＤＬ  ＲＳ測定結果から導出してよい。ＤＬ  ＲＳはＢＲＳでよい。
【００９３】
より具体的には、検出されたｅＮＢビーム若しくはＴＲＰビームがないこと、又はリンクされた適格なｅＮＢビーム若しくはＴＲＰビームがないことは、関連付けられたＤＬ  ＲＳが検出されないこと、又は関連付けられたＤＬ  ＲＳのチャネル品質がより悪い、例えば、ＲＳＲＰがしきい値よりも低いことを意味してよい。
【００９４】
図１８は、ＵＥの観点からの例示的な一実施形態によるフローチャート１８００である。ステップ１８０５において、ＵＥは、特定電力値に基づいてＵＬ  ＲＳの送信電力を導出する。ステップ１８１０において、ＵＥは、その送信電力でＵＬ  ＲＳを送信する。
【００９５】
図１９は、ＵＥの観点からの例示的な一実施形態によるフローチャート１９００である。ステップ１９０５において、ＵＥは、ＵＬ  ＲＳの送信電力を導出し、ここで、送信電力の導出は、ｅＮＢ又はＴＲＰ検出のためのＵＥビームの必要なＵＬ送信電力を含む。ステップ１９１０において、ＵＥは、その送信電力でＵＬ  ＲＳを送信する。
【００９６】
図２０は、ＵＥの観点からの例示的な一実施形態によるフローチャート２０００である。ステップ２００５において、ＵＥは、特定電力値に基づいてＵＬ  ＲＳの送信電力を導出する。ステップ２０１０において、ＵＥは、その送信電力で複数のＵＥビームのうちの第１のＵＥビーム上でＵＬ  ＲＳを送信する。ステップ２０１５において、ＵＥは、その送信電力で複数のＵＥビームのうちの第２のＵＥビーム上でＵＬ  ＲＳを送信する。
【００９７】
一実施形態では、ＵＬ  ＲＳは、ビーム管理のためのものとすることができる。ＵＬ  ＲＳは、サウンディング参照シグナリングとすることができる。代替として、ＵＬ  ＲＳは、ＤＭＲＳでもサウンディング参照信号でもない。
【００９８】
一実施形態では、ＵＬ  ＲＳの送信電力の導出は、上りデータ及び／又は制御チャネルと関連付けられていなくてよい。異なるＵＥビーム上のＵＬ  ＲＳの送信電力を同じにすることができる。
【００９９】
一実施形態では、ＴＰＣ（コマンド）を、上りデータ及び／又は制御チャネルのためではなく、特にＵＬ  ＲＳの電力制御のために適用することができる。特定電力値を構成又は指定することができる。代替的には、特定電力値を、ランダムアクセス手順から導出された第３のＵＥビームのＵＬ送信電力とすることができる。ＵＬ  ＲＳの送信電力の導出は、経路損失を含むことができる。経路損失は、ｅＮＢビーム又はＴＲＰビームのＤＬ  ＲＳ測定結果から導出することができる。ＤＬ  ＲＳは、ビーム参照信号とすることができる。
【０１００】
送信電力は、特定電力値より小さくなくてもよい。（ＵＬ  ＲＳの）送信電力を特定電力値として設定することができる。代替的には、（ＵＬ  ＲＳの）送信電力を特定電力値＋経路損失として設定することができる。
【０１０１】
ＵＬ  ＲＳの送信電力の導出は、オフセットを含むことができる。代替的には、あるいは追加的には、送信電力の導出はオフセットに基づくことができる。このオフセットは、適格なビーム基準とすることができ、ここで、最良のチャネル品質を有するｅＮＢビーム又はＴＲＰビームと比較して、適格なビーム基準よりも小さいＲＳＲＰ、ＳＩＮＲ、又はＰＬ（絶対）差を有するｅＮＢビームである場合、ｅＮＢビームは適格なチャネル品質を有すると見なされる。
【０１０２】
一実施形態では、ＵＬ  ＲＳの（初期の）送信電力を、ランダムアクセス手順から導出されたＵＥビームの必要なＵＬ送信電力か及びオフセットから少なくとも導出することができる。ｅＮＢ又はＴＲＰ検出のためのＵＥビームの必要なＵＬ送信電力とは、ｅＮＢ又はＴＲＰが受信しきい値を超える受信電力でＵＬ  ＲＳを受信することを意味することができる。
【０１０３】
ＵＬ  ＲＳの送信電力の導出は、ｅＮＢ又はＴＲＰ検出のためのＵＥビームの必要なＵＬ送信電力を含むことができ、ここで、ＵＥビームは最良のチャネル品質を有するｅＮＢビーム又はＴＲＰビームに関連付けられている。ＵＬ  ＲＳの送信電力を、ｅＮＢ又はＴＲＰ検出のためのＵＥビームの必要なＵＬ送信電力及びオフセットから少なくとも導出することができ、ここで、ＵＥビームは最良のチャネル品質を有するｅＮＢビーム又はＴＲＰビームに関連付けられている。
【０１０４】
代替的には、あるいは追加的には、ＵＬ  ＲＳの送信電力の導出は、ｅＮＢ又はＴＲＰ検出のための各ＵＥビームの必要なＵＬ送信電力のうちの最小値を含むことができる。ＵＬ  ＲＳの送信電力を、ｅＮＢ又はＴＲＰ検出のための各ＵＥビームの必要なＵＬ送信電力のうちの最小値及びオフセットから少なくとも導出することができる。ｅＮＢ又はＴＲＰ検出のためのＵＥビームの必要なＵＬ送信電力は、ＵＥビーム上のｅＮＢビーム又はＴＲＰビームのＤＬ  ＲＳを測定することから導出することができる。
【０１０５】
一実施形態では、検出されたｅＮＢビーム又はＴＲＰビームがない場合、又はＵＥビーム上にリンクされた適格なｅＮＢビーム又はＴＲＰビームがない場合、ＵＥは、そのＵＥビーム上でのＵＬ  ＲＳの一部又はすべての送信機会をスキップすることができる。
【０１０６】
一実施形態では、検出されたｅＮＢビーム又はＴＲＰビームがない場合、又はＵＥビーム上にリンクされた適格なｅＮＢビーム又はＴＲＰビームがない場合、ＵＥビームの必要なＵＬ送信電力を、Ｐｃｍａｘとして決定することができる。
【０１０７】
一実施形態では、検出されたｅＮＢビーム又はＴＲＰビームがない場合、又はＵＥビーム上にリンクされた適格ｅＮＢビーム又はＴＲＰビームがない場合、ＵＥビームの必要なＵＬ送信電力は、ＵＬ  ＲＳの送信電力の導出に含まれなくてもよい。
【０１０８】
一実施形態では、特定値を、ＵＬ  ＲＳの送信電力のために必要最小限の送信電力として構成又は指定することができる。
【０１０９】
一実施形態では、任意の検出されたｅＮＢビーム又はＴＲＰビームがある場合、あるいはＵＥビーム上にリンクされた適格なｅＮＢビーム又はＴＲＰビームがある場合、ＵＥは、ＵＥビーム上での（定期的な）ＵＬ  ＲＳの一部又はすべての送信機会をスキップすることができる。ＵＥは、ＵＬチャネル測定のための（定期的な）ＵＬ  ＲＳ送信を有するＵＥビーム上を除いて、（定期的な）ＵＬ  ＲＳを送信することができる。ＵＥビーム上に検出されたｅＮＢビーム又はＴＲＰビームがないことは、ＵＥビーム上でＤＬ  ＲＳが検出されないこと、又はＤＬ  ＲＳの測定されたチャネル品質がより悪いことを意味することができる。ＵＥビーム上にリンクされた適格なＮＢビーム又はＴＲＰビームがないことは、関連付けられたＤＬ  ＲＳがＵＥビーム上で検出されないこと、又はＤＬ  ＲＳの測定されたチャネル品質がより悪いことを意味することができる。  ＤＬ  ＲＳの測定されたチャネル品質がより悪いということは、ＤＬ  ＲＳのＲＳＲＰがしきい値よりも低いことを意味する。
【０１１０】
一実施形態では、適格なチャネル品質を有するｅＮＢビーム又はＴＲＰビームとは、ＵＥが、あるしきい値よりも大きいＲＳＲＰ若しくはＳＩＮＲ又はあるしきい値よりも小さい経路損失を有するｅＮＢビーム又はＴＲＰビームを受信することを意味することができる。ＤＬ  ＲＳは、ビーム参照信号とすることができる。
【０１１１】
図３及び図４に戻って参照すると、図１８に示し、上述したＵＥの例示的な一実施形態において、デバイス３００は、メモリ３１０に記憶されたプログラムコード３１２を含む。ＣＰＵ３０８は、プログラムコード３１２を実行して、ＵＥが（ｉ）特定電力値に基づいてＵＬ  ＲＳの送信電力を導出することと、（ｉｉ）その送信電力でＵＬ  ＲＳを送信することと、を可能にする。さらに、ＣＰＵ３０８は、プログラムコード３１２を実行して、上述の活動及びステップ又は本明細書で説明したその他のすべてを実行することができる。
【０１１２】
図３及び図４に戻って参照すると、図１９に示し、上述したＵＥの例示的な一実施形態において、デバイス３００は、メモリ３１０に記憶されたプログラムコード３１２を含む。ＣＰＵ３０８は、プログラムコード３１２を実行して、ＵＥが（ｉ）ＵＬ  ＲＳの送信電力を導出することであって、ここで、送信電力の導出はｅＮＢ又はＴＲＰ検出のためのＵＥビームの必要なＵＬ送信電力を含む、導出することと、（ｉｉ）その送信電力でＵＬ  ＲＳを送信することと、を可能にする。さらに、ＣＰＵ３０８は、プログラムコード３１２を実行して、上述の活動及びステップ又は本明細書で説明したその他のすべてを実行することができる。
【０１１３】
図３及び図４に戻って参照すると、図２０に示し、上述したＵＥの例示的な一実施形態において、デバイス３００は、メモリ３１０に格納されたプログラムコード３１２を含む。ＣＰＵ３０８は、プログラムコード３１２を実行して、ＵＥが（ｉ）特定電力値に基づいてＵＬ  ＲＳの送信電力を導出することと、（ｉｉ）その送信電力で複数のＵＥビームのうちの第１のＵＥビーム上でＵＬ  ＲＳを送信することと、（ｉｉｉ）その送信電力で複数のＵＥビームのうちの第２のＵＥビーム上でＵＬ  ＲＳを送信することと、可能にする。さらに、ＣＰＵ３０８は、プログラムコード３１２を実行して、上述の活動及びステップ又は本明細書で説明したその他のすべてを実行することができる。
【０１１４】
概して、本発明に基づいて、ＵＬ  ＲＳ送信電力を、機能特性及び要求に基づいて決定することができる。ビーム管理のためのＵＬ  ＲＳ送信電力を、ＵＥのために適格なｅＮＢビーム及び／又は適格なＵＥビームを検出及び／又は追跡する際にＴＲＰ又はｅＮＢを支援するように設定することができる。
【０１１５】
以上、本開示の種々の態様を説明した。当然のことながら、本明細書の教示内容を多種多様な形態で具現化してよく、本明細書に開示されている如何なる特定の構造、機能、又は両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。いくつかの態様において、パルス繰り返し周波数、パルス位置又はオフセット、及び時間ホッピングシーケンスに基づいて、同時チャネルが確立されてよい。
【０１１６】
当業者であれば、多様な異なるテクノロジ及び技術のいずれかを使用して、情報及び信号を表わしてよいを理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組み合わせによって表わしてよい。
【０１１７】
さらに、当業者には当然のことながら、本明細書に開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組み合わせ）、命令を含む種々の形態のプログラム若しくは設計コード（本明細書においては便宜上、「ソフトウェア」又は「ソフトウェアモジュール」と称されることがある）、又は両者の組み合わせとして実装されてよい。このハードウェア及びソフトウェアの互換性を明確に示すため、種々の例示的な構成要素、ブロック、モジュール、回路、及びステップを、概略的にそれぞれの機能の観点から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１１８】
また、本明細書に開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組み合わせを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組み合わせ、複数のマイクロプロセッサ、ＤＳＰコアと協働する１つ以上のマイクロプロセッサ、又はその他任意のこのような構成である、コンピュータデバイスの組み合わせとして実装されてよい。
【０１１９】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【０１２０】
本明細書に開示される態様に関連して記載された方法又はアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０１２１】
以上、種々の態様に関連して本発明を説明したが、本発明は、さらに改良可能であることが了解される。本願は、概して本発明の原理に従うとともに、本発明が関係する技術分野における既知で慣習的な実施となるような本開示からの逸脱を含む本発明の任意の変形、使用、又は適応を網羅することを意図している。
【図１】
2018061246.tif 000041
【図２】
2018061246.tif 000042
【図３】
2018061246.tif 000043
【図４】
2018061246.tif 000044
【図５】
2018061246.tif 000045
【図６】
2018061246.tif 000046
【図７Ａ】
2018061246.tif 000047
【図７Ｂ】
2018061246.tif 000048
【図８】
2018061246.tif 000049
【図９】
2018061246.tif 000050
【図１０】
2018061246.tif 000051
【図１１】
2018061246.tif 000052
【図１２】
2018061246.tif 000053
【図１３】
2018061246.tif 000054
【図１４】
2018061246.tif 000055
【図１５】
2018061246.tif 000056
【図１６】
2018061246.tif 000057
【図１７】
2018061246.tif 000058
【図１８】
2018061246.tif 000059
【図１９】
2018061246.tif 000060
【図２０】
2018061246.tif 000061
【外国語明細書】
2018061246000001.pdf